(57)【要約】【課題】トレイ毎に用紙種類をセット可能とし、用紙サイズ及び／又は用紙種類の指定に対応してトレイを選択する機能を備えたプリンタにおいて、ユーザの意に反し、印刷待ちの状態でプリンタが停止する問題点を回避する。【解決手段】印刷データ処理回路１１にて解析された印刷ジョブに指定された用紙サイズ及び／又は用紙種類に応じたトレイ選択条件に従って、トレイ属性制御回路１５にて給紙トレイが選択される。用紙種類の指定がない印刷ジョブに対しトレイの指定を可能とするために、予め優先度を設定し、優先度に従い用紙種類の指定を行うようにする。指定した用紙種類の記録紙がなくなった場合でも、代替用紙種類のトレイへ切り替えを行い、印刷処理の続行を行うことを可能とする。【選択図】図１
2007126293.tif 000002
【特許請求の範囲】
【請求項１】
複数の給紙トレイの各々にセットされた用紙のサイズ、用紙種類等の用紙情報を管理し、該用紙情報によって給紙トレイを選択し、選択したトレイから給紙を行う機能を備えたプリンタにおいて、用紙種類別に選択の優先度を予め設定し、印刷ジョブのコマンドにより指定された用紙サイズに対し複数の用紙種別の給紙トレイがある場合、設定した優先度の順に給紙トレイを選択するようにしたことを特徴とするプリンタ。
【請求項２】
請求項１に記載されたプリンタにおいて、印刷ジョブのコマンドに用紙種類が指定されている場合には、指定された用紙種類に適合する用紙がセットされた給紙トレイのみを選択するようにしたことを特徴とするプリンタ。
【請求項３】
複数の給紙トレイの各々にセットされた用紙のサイズ、用紙種類等の用紙情報を管理し、該用紙情報によって給紙トレイを選択し、選択したトレイから給紙を行う機能を備えたプリンタにおいて、用紙種類別に代替可能な用紙種類を予め設定しておき、印刷ジョブのコマンドにより指定された用紙種類に適合する用紙がセットされた給紙トレイの用紙がなくなった場合、指定された用紙種類に代替可能な用紙種類の用紙がセットされた給紙トレイを選択し直すようにしたことを特徴とするプリンタ。
【請求項４】
複数の給紙トレイの各々にセットされた用紙のサイズ、用紙種類等の用紙情報を管理し、該用紙情報によって給紙トレイを選択し、選択したトレイから給紙を行う機能を備えたプリンタにおいて、特定の給紙トレイに前記用紙情報による選択の対象外とする予約トレイの設定を可能とし、印刷ジョブのコマンドにより予約トレイの使用が指定され、該印刷ジョブの指示に適合した用紙の給紙トレイへのセットの確認操作をした場合に、予約トレイを使用した給紙を行うようにしたことを特徴とするプリンタ。
【請求項５】
請求項４に記載されたプリンタにおいて、予約トレイを使用する場合に、印刷ジョブのコマンドにより指定された用紙種類に、トレイにセットされる用紙の設定用紙種類データを変更することを特徴とするプリンタ。
【請求項６】
請求項４に記載されたプリンタにおいて、予約トレイを使用する場合に、印刷ジョブのコマンドにより指定された用紙サイズに、トレイにセットされる用紙の設定用紙サイズデータを変更することを特徴とするプリンタ。
【請求項７】
請求項１乃至６のいずれかに記載されたプリンタに通信手段を介して印刷ジョブのコマンドを送信するホスト装置を接続したことを特徴とするプリンタシステム。
【発明の詳細な説明】
【技術分野】
【０００１】
本発明は、プリンタに関し、より詳細には、入力された（例えば、ホストコンピュータ等から送り込まれる）印刷ジョブに指定されている用紙（記録紙）サイズ・用紙種類により、該当する用紙がセットされた給紙トレイを選択し、選択したトレイからの給紙により印刷をするようにしたプリンタ及び該プリントを備えたプリンタシステムに関する。
【背景技術】
【０００２】
プリンタにおいて、ホストコンピュータ等から印刷データとともに送られてくる印刷ジョブのジョブ情報に指定された用紙サイズ・用紙種類に従い、印刷実行時に指定の用紙を用いて印刷を行うものがすでに製品化されている。
例えば、コピー・プリンタ複合機、或いは高速プリンタでは、多数の給紙トレイがあって、同一サイズの給紙トレイに異なる種類（例えば、普通紙、再生紙、ＯＨＰ等）の用紙を入れて運用するときがあるが、各トレイの用紙種類を予め設定データとして保持しておき、ジョブ情報に用紙サイズ・用紙種類が指定される場合、指定の用紙サイズ・用紙種類に対応する給紙トレイを指示することにより給紙トレイを選択する機能を備え、選択したトレイからの給紙により目的の用紙への印刷を可能としている。
また、ネットワークプリンタやコピー・プリンタ複合機では、複数のユーザが機械を共有するため、多くの用紙サイズ、用紙の種類を使用する可能性があるので、この点からも多数の給紙トレイを装備している。また、機械に装備できる給紙トレイの数には制限があるため、１つの給紙トレイにいろいろな用紙をセットできるようにし、これを運用することによりさらに多くの用紙サイズ、用紙の種類に対応できるようにしている。
【発明の開示】
【発明が解決しようとする課題】
【０００３】
しかしながら、給紙トレイを指示することにより給紙トレイを選択する機能により指定の用紙サイズ・用紙種類への印刷を行う場合、トレイ選択の条件が厳しくなることで、ユーザの意志に反して、印刷待ちの状態でプリンタが停止する可能性がある。また、上記したように、限られた数の給紙トレイで多くの用紙サイズ、用紙の種類を使用するために、１つの給紙トレイにいろいろな用紙をセット可能とするという条件が加わる場合、指定と異なる用紙サイズ・用紙種類で印刷される（例えば、給紙トレイの用紙を変更したユーザとは別のユーザが用紙の変更を知らずにこの給紙トレイを使用してしまった場合）などの弊害が発生する可能性がある。
【０００４】
本発明は、上述の従来技術の問題点に鑑みてなされたものであって、その目的は、給紙トレイ毎に用紙種類をセット可能とし、用紙サイズ及び／又は用紙種類の指定に対応して給紙トレイを選択する機能を備えることにより指定の用紙サイズ及び／又は用紙種類の印刷を行うようにしたプリンタ及びプリンタシステムにおいて、ユーザの意志に反して、印刷待ちの状態でプリンタが停止する従来の問題点を回避し、特定のユーザがセットした給紙トレイを他のユーザが誤使用することを防ぐようにしたプリンタ及びプリンタシステムを提供することにある。
【課題を解決するための手段】
【０００５】
請求項１の発明は、複数の給紙トレイの各々にセットされた用紙のサイズ、用紙種類等の用紙情報を管理し、該用紙情報によって給紙トレイを選択し、選択したトレイから給紙を行う機能を備えたプリンタにおいて、用紙種類別に選択の優先度を予め設定し、印刷ジョブのコマンドにより指定された用紙サイズに対し複数の用紙種別の給紙トレイがある場合、設定した優先度の順に給紙トレイを選択するようにしたことを特徴とするプリンタである。
請求項２の発明は、請求項１に記載されたプリンタにおいて、印刷ジョブのコマンドに用紙種類が指定されている場合には、指定された用紙種類に適合する用紙がセットされた給紙トレイのみを選択するようにしたことを特徴とするものである。
請求項３の発明は、複数の給紙トレイの各々にセットされた用紙のサイズ、用紙種類等の用紙情報を管理し、該用紙情報によって給紙トレイを選択し、選択したトレイから給紙を行う機能を備えたプリンタにおいて、用紙種類別に代替可能な用紙種類を予め設定しておき、印刷ジョブのコマンドにより指定された用紙種類に適合する用紙がセットされた給紙トレイの用紙がなくなった場合、指定された用紙種類に代替可能な用紙種類の用紙がセットされた給紙トレイを選択し直すようにしたことを特徴とするプリンタである。
請求項４の発明は、複数の給紙トレイの各々にセットされた用紙のサイズ、用紙種類等の用紙情報を管理し、該用紙情報によって給紙トレイを選択し、選択したトレイから給紙を行う機能を備えたプリンタにおいて、特定の給紙トレイに前記用紙情報による選択の対象外とする予約トレイの設定を可能とし、印刷ジョブのコマンドにより予約トレイの使用が指定され、該印刷ジョブの指示に適合した用紙の給紙トレイへのセットの確認操作をした場合に、予約トレイを使用した給紙を行うようにしたことを特徴とするプリンタである。
請求項５発明は、請求項４に記載されたプリンタにおいて、予約トレイを使用する場合に、印刷ジョブのコマンドにより指定された用紙種類に、トレイにセットされる用紙の設定用紙種類データを変更することを特徴とするものである。
請求項６の発明は、請求項４に記載されたプリンタにおいて、予約トレイを使用する場合に、印刷ジョブのコマンドにより指定された用紙サイズに、トレイにセットされる用紙の設定用紙サイズデータを変更することを特徴とするものである。
請求項７の発明は、請求項１乃至６のいずれかに記載されたプリンタに通信手段を介して印刷ジョブのコマンドを送信するホスト装置を接続したことを特徴とするプリンタシステムである。
【発明の効果】
【０００６】
（１）  請求項１の発明に対応する効果
本発明によれば、用紙種類別に選択の優先度を予め設定し、印刷ジョブのコマンドにより指定された用紙サイズに対し複数の用紙種別の給紙トレイがある場合、設定した優先度の順に給紙トレイを選択するようにしたことにより、目的の用紙種類の給紙トレイがない場合でも、まったく異なったサイズ記録紙に印刷されたり、紙なしで装置が停止してしまうことを防ぐことができる。
（２）  請求項２の発明に対応する効果
上記（１）の効果に加えて、印刷ジョブのコマンドに用紙種類が指定されている場合には、指定された用紙種類に適合する用紙がセットされた給紙トレイのみを選択するようにしたことにより、ユーザの意に反した用紙に印刷されることがない。
（３）  請求項３の発明に対応する効果
本発明によれば、用紙種類別に代替可能な用紙種類を予め設定しておき、印刷ジョブのコマンドにより指定された用紙種類に適合する用紙がセットされた給紙トレイの用紙がなくなった場合、代替可能な用紙種類の用紙がセットされた給紙トレイを選択し直すようにしたことにより、目的の用紙種類の給紙トレイがない場合でも、まったく異なったサイズ記録紙に印刷されたり、紙なしで装置が停止してしまうことを防ぐことができる。
（４）  請求項４の発明に対応する効果
本発明によれば、特定の給紙トレイに用紙情報による選択の対象外とする予約トレイの設定を可能とし、印刷ジョブのコマンドにより予約トレイの使用が指定され、該印刷ジョブに適合した用紙の給紙トレイへのセットの確認操作をした場合に、予約トレイを使用した給紙を行うようにしたことにより、ネットワークプリンタやコピー・プリンタ複合機のように、複数のユーザが機械を共有する場合、特定のユーザがセットした用紙を、誤って別のユーザが使用してしまう従来の問題点の発生を防止することができる。
（５）  請求項５，６の発明に対応する効果
上記（３）の効果に加えて、予約トレイを使用する場合に、印刷ジョブのコマンドにより指定された用紙サイズ或いは用紙種類に、トレイにセットされる用紙の設定用紙サイズデータ或いは設定用紙種類データを変更することにより、給紙トレイの数には制限があり、１つの給紙トレイにいろいろな用紙をセットして運用する場合、その都度用紙サイズや用紙種類を、操作パネル等で設定する手間を省くことができる。
（６）  請求項７の発明に対応する効果
請求項１乃至６のいずれかに記載されたプリンタに通信手段を介してホスト装置を接続して構成されるプリンタシステムにおいて、上記（１）〜（５）の効果を実現することにより、システムの性能を向上させることができる。
【発明を実施するための最良の形態】
【０００７】
本発明を添付する図面とともに示す以下の実施例に基づき説明する。
図１は、本発明によるプリンタ（プリンタシステム）の実施例の機能ブロックを示す図である。
本実施例におけるプリンタは、図１に示すように、印刷データ処理回路１１、印刷制御回路１２、システム制御回路１３、操作部制御回路１４、トレイ属性制御回路１５から成る機能ブロックを少なくともその要素として構成される。
通常動作時、ホストコンピュータ等の上位装置から送られてくるコマンドは印刷データ処理回路１１にて解析処理され、解析されたデータが印刷制御回路１２にて画像展開処理され、その展開画像データを作像に用いて（作像エンジン部については図示せず）印刷が行われる。操作部の入力操作に従い動作する操作部制御回路１４からの指示で、トレイ属性制御回路１５にて各給紙トレイの用紙サイズや用紙種類の設定を行う。なお用紙サイズや用紙種類の設定は、ホストコンピュータからリモート操作で行う場合や、各給紙トレイのスイッチにより設定できる場合もある。印刷データ処理回路１１にて解析された印刷ジョブに指定された用紙サイズ及び／又は用紙種類に応じたトレイ選択条件に従って、トレイ属性制御回路１５にて給紙トレイが選択される。
【０００８】
図２は、図１の機能ブロックにて示した機能を実現するプリンタコントローラのハードウェア構成図を示す。図２に示すプリンタコントローラは、CPU２１、ROM２２、RAM２３、操作パネルインターフェイス２４、ホストインターフェイス２５、エンジンインターフェイス２６を少なくともその要素として構成される。
ROM２２はプログラム領域と、文字データ（フォント）領域で構成され、RAM２３はワーク用メモリとフレームメモリで構成される。ホストインターフェイス２５は、ホストコンピュータ等上位装置から送られてくる印刷データの受け取りを行う。エンジンインターフェイス２６は、本コントローラで展開した画像データを実際に作像エンジンにより印刷出力するためのインターフェイスである。操作パネルインターフェイス２４は、操作部（図示せず）への表示や、キー操作の受付処理を行う。CPU２１は、本コントローラの全体の制御を司る汎用CPUにより構成しうる制御プロセッサで、蓄積データやデータフローの管理、蓄積ジョブの管理等も行う。
【０００９】
本発明による給紙トレイを選択する以下に示す動作においては、前提として、同一サイズの用紙がセットできる複数の給紙トレイにそれぞれ異なる種類の用紙をセットすることが条件となる。つまり、図３に例示される設定におけるように、トレイ１〜３には、同一サイズ（ここでは、Ａ４サイズ）の用紙で、それぞれのトレイ１、２，３に普通紙、再生紙、ＯＨＰという順にセットされる。なお、各給紙トレイの用紙種類データの設定は、トレイ属性制御回路１５にて行われる。
本発明では、同一サイズの複数の給紙トレイに異なる種類の用紙がセットされる場合に、用紙種類の指定がない印刷ジョブに対して給紙トレイの指定を可能とするために、予め優先度を設定し、優先度に従い用紙種類の指定を行うようにする。
下記に用紙種類の優先度設定例を示す。この例では再生紙のトレイが最優先で選択される。
〈用紙種類の優先度設定例〉
・ 再生紙        ↑（優先度高い）
・ 普通紙
・ 高品質紙      ↓（優先度低い）
【００１０】
優先度が設定されているときの動作を上記を例に説明すると、先ず、印刷要求ジョブに用紙サイズと用紙種類が、それぞれＡ４サイズ、普通紙と指定されている場合には、優先度の設定にかかわらずに、即ち優先度の高い再生紙は選択せず、指定された普通紙のトレイ１を選択する。
印刷要求ジョブに用紙種類の指定がない場合には、設定された優先度に従いトレイを選択し、優先度の高い種類の用紙から印刷に用いるようにする。上の例では、再生紙が最優先であるから、トレイ２を選択する。この時に、もし再生紙がない場合には、次の順位の普通紙のトレイ１を選択し動作させる。
このように、本発明によれば、用紙サイズの指定はあるが、用紙種類の指定がない印刷ジョブに対して、優先度の順に次々に給紙トレイを選択して給紙することができる。従って、このような場合に、例えば、一定のトレイを指定してそこから給紙するといった動作をさせる従来法によると、指定トレイの紙切れにより、印刷が停止してしまうことになるが、本発明によれば、優先度の順に次々に給紙トレイを選択して給紙することができ、従来におけるような停止を回避することができる。
【００１１】
次に、印刷要求ジョブに指定された用紙サイズと用紙種類に応じて給紙トレイを選択する他の発明の実施例を説明する。
本発明においては、ある用紙種類に対して、代替可能な用紙種類を設定することで、指定した用紙種類の記録紙がなくなった場合でも、代替用紙種類のトレイへ切り替えを行い、印刷処理の続行を行うことを可能とする機能を備えたものである。
なお、代替用紙種類への切り替えを行うために、用紙種類毎に予め代替用紙種類を設定しておく必要がある。下記に代替用紙種類設定例を示す。この例では、OHPと高品質紙に代替用紙を用いないという設定である。
〈代替用紙種類設定例〉
（指定用紙種類）  ：  （代替用紙種類）
普通紙  ：  高品質紙
再生紙  ：  普通紙
ＯＨＰ  ：  代替用紙なし
高品質紙  ：  代替用紙なし
【００１２】
図４は、本実施例の動作フローを示す図である。図４にもとづいて実施例の動作フローを以下に説明する。なお、ここでは、上記の代替用紙種類設定例に従うものとする。
印刷ジョブには、用紙サイズと用紙種類が指定されているので、このフローでは、先ず、指定された用紙サイズのトレイがあるか否かをチェックし（Ｓ４１）、あれば、さらに指定された用紙種類のトレイがあるか否かをチェックする（Ｓ４２）。サイズ、種類、例えばＡ４サイズ、普通紙のいずれも満足するトレイがあれば、該当するトレイを選択し、選択されたトレイから給紙されるＡ４普通紙により印刷処理を実行する（Ｓ４７）。
【００１３】
Ｓ４１でＡ４サイズがない場合には、紙がない旨のメッセージを操作部に表示し処理を停止する（Ｓ４５）。ここで、ユーザによる処理続行の指示（強制印刷実行）があるか否かをチェックし（Ｓ４６）、あれば、現在使用可能なトレイより給紙し印刷を行う（Ｓ４７）。Ｓ４６で、キャンセルの指示があれば印刷を中止し、このフローの動作を終了する。
一方、Ａ４サイズのトレイがあるが、Ｓ４２のチェックで用紙種類が一致しない、即ち普通紙のトレイが無い場合には、普通紙に代替用紙種類が登録されているかを調べ、この例では登録されている高品質紙のトレイがあるかをチェックし（Ｓ４３）、ある場合にはそのトレイを選択し（Ｓ４４）、高品質紙による印刷を行う（Ｓ４７）。
Ｓ４３で、代替用紙種類が登録されてない場合には、指定サイズの用紙が無い場合に行った、先に述べたＳ４５以降と同じ処理を行う。
【００１４】
次に、給紙トレイの予約機能を備えた本発明のプリンタ（プリンタシステム）の実施例を説明する。
給紙トレイの予約機能は、特定のトレイに予約の設定をすることにより、そのトレイを通常の操作で選択されるトレイの対象外とし、ユーザが予約設定に対応した所定操作を行う場合にのみ、その予約トレイからの給紙を行わせるようにする機能である。
図５は、本発明のプリンタ（プリンタシステム）の実施例の機能ブロックを示す図である。
本実施例におけるプリンタは、図５に示すように、印刷データ処理回路５１、印刷制御回路５２、システム制御回路５３、操作部制御回路５４、トレイ属性制御回路５５から成る機能ブロックを少なくともその要素として構成される。
ホストコンピュータ等の上位装置から送られてくるコマンドは通常、印刷データ処理回路５１にて解析処理され、解析されたデータが印刷制御回路５２にて画像展開処理され、その展開画像データを作像に用いて（作像エンジン部については図示せず）印刷が行われる。
【００１５】
各給紙トレイのダイヤル（詳細は後述）等、或いは操作部の入力操作に従い動作する操作部制御回路５４からの指示で、トレイ属性制御回路５５にて各給紙トレイの用紙サイズや用紙種類の設定を行う。なお用紙サイズや用紙種類の設定は、ホストコンピュータからリモート操作で行う場合もある。
用紙種類の設定データにより、必要に応じて現像、定着、搬送の制御を行う。
操作部制御回路５４はメッセージの表示やユーザの指示を受け付けを行い、システム制御回路５３にてシステムの各構成部分にその指示を送る。
印刷データ処理回路５１にて解析された、各印刷ジョブで指定された用紙サイズ及び／又は用紙種類の指定に応じたトレイ選択条件に従って、トレイ属性制御回路５５にて給紙トレイが選択される。
【００１６】
図５の機能ブロックにて示した機能を実現するプリンタコントローラのハードウェア構成図は図２に示される。なお、図２に示すプリンタコントローラは、先に示した図１の機能ブロックにて示した機能を実現するハードウェア構成図と特に違いがないので、ここでは重複した説明をせず、先の図２に関する記述を参照することとする。
【００１７】
本発明の給紙トレイの予約機能による動作においては、特定の給紙トレイに予約の設定をする必要がある。
そのために、いろいろなサイズの用紙がセットできる給紙トレイの設定手段の１部に予約トレイの設定手段を装備させることが考えられる。
図６は、給紙トレイの用紙サイズ設定手段としての設定ダイアルの例を示す。同図に示すように、設定しうるサイズを記したダイアルを図示の矢印の方向に回してサイズ確認窓に表示したサイズ値が、そのトレイのサイズとして設定されるようになされている。本実施例では、サイズダイアルの選択肢の１つとして「予約」サイズを設けておき、ダイアルの設定により、予約トレイの設定が可能となる。
【００１８】
上記したように特定のトレイを予約設定が可能なトレイとした場合、装備される複数のトレイは、図７に例示される設定におけるように、トレイ１を予約トレイとし、トレイ２、４には、同一サイズ（ここでは、Ａ４サイズ）の用紙で、それぞれに普通紙、再生紙をセットし、トレイ３には、他のサイズ（ここでは、Ｂ４サイズ）の普通紙というセットができる。なお、各給紙トレイの用紙サイズや用紙種類の設定データは、トレイ属性制御回路１５にて管理され給紙トレイの選択の判断に使用される。
予約設定したトレイ１及び通常設定の給紙トレイ２〜４を含む各トレイの用紙サイズや用紙種類データの設定は、上記設定ダイアルを含む操作部等の入力により行われる。
【００１９】
一方、本発明においては、特に予約設定されたトレイの用紙サイズ及び用紙種類データの設定については、上記した設定ダイアルを含む操作部等の入力操作以外に、印刷ジョブに指定された用紙サイズ及び用紙種類のデータを自動的に取り込んで設定値を変更する方式を採用する。
予約トレイの使用例としては、トレイ１のサイズダイアル（図６）を「予約」にセットする。これにより、このトレイの用紙が別のユーザに誤って使用されることがなくなる（予約設定時の所定操作を行う場合にのみ、このトレイからの給紙を行わせることにより、予約トレイとして機能させる）。
ユーザは、このトレイに必要な用紙をセットし、ホストコンピュータより印刷の指示を行うが、この時、用紙サイズと用紙種類はホストコンピュータより送られた値をトレイの値として設定する。通常はホストコンピュータより送られた用紙のサイズ、種類のデータはトレイの選択条件として使用されるが、予約トレイに対してはトレイの設定をホストコンピュータより送られた値に自動的の変更することで、利便性を向上させている。
この後、ユーザは、操作部の表示で所望の用紙が設定されていることを確認して、Enterキーを押すことで印刷を開始する。
【００２０】
図８は、本実施例の動作フローを示す図である。図８にもとづいて実施例の動作フローを以下に説明する。なお、ここでは、図７の用紙設定例に従うものとする。
印刷ジョブには、用紙サイズと用紙種類が指定されているので、このフローでは、先ず、トレイの選択条件（図７によるとＡ４の普通紙か再生紙、或いは、Ｂ４普通紙）の中に、指定された用紙サイズ及び用紙種類に一致するものがあるか否かをチェックし（Ｓ８１）、あれば、該当するトレイからの給紙により印刷を行う（Ｓ８８）。
Ｓ８１で該当する用紙がない場合には、印刷ジョブに予約トレイ使用の指示があるか否かをチェックし（Ｓ８２）、あれば、予約トレイを選択し予約トレイの用紙サイズの設定値を印刷ジョブに指定されている値に変更し（Ｓ８３）、さらに予約トレイの用紙種類の設定データを印刷ジョブに指定されているデータに変更する（Ｓ８４）。この後、操作部の表示画面に、例えば指定がＡ５の普通紙である場合、「Ａ５普通紙の用紙をセットして、Enterキーを押してください」といったメッセージを表示し（Ｓ８５）、ユーザがこのメッセージに従い所定の用紙をセットしEnterキーを押すことにより、予約トレイを用いた動作であることが確認されるので、この設定で予約トレイからの給紙により印刷を行う（Ｓ８８）。
Ｓ８２で印刷ジョブに予約トレイ使用の指示がない場合、ユーザによる処理続行の指示（強制印刷実行）があるか否かをチェックし（Ｓ８７）、あれば、現在使用可能な適当なトレイより給紙し印刷を行う（Ｓ８８）。Ｓ８７で、キャンセルの指示があれば印刷を中止し、このフローの動作を終了する。
【図面の簡単な説明】
【００２１】
【図１】本発明によるプリンタの実施例の機能ブロックを示す図である。
【図２】図１のブロック図にて示した機能を実現するプリンタコントローラのハードウェアの構成を示す。
【図３】複数の給紙トレイに異なる種類の用紙をセットした場合の設定例を示す。
【図４】指定された用紙に代替用紙が設定された場合の給紙トレイの選択動作のフローを示す。
【図５】本発明によるプリンタの実施例の機能ブロックを示す図である。
【図６】給紙トレイにセットする用紙のサイズ設定ダイアルの１例で、その１部を予約設定用としたものを示す。
【図７】複数の給紙トレイに異なる種類の用紙をセットし一部を予約トレイとした場合の設定例を示す。
【図８】予約トレイを使用する場合の給紙トレイの選択動作のフローを示す。
【符号の説明】
【００２２】
１１，５１・・・印刷データ処理回路、１２，５２・・・印刷制御回路、１３，５３・・・システム制御回路、１４，５４・・・操作部制御回路、１５，５５・・・トレイ属性制御回路、２１・・・ＣＰＵ、２２・・・ＲＯＭ、２３・・・ＲＡＭ、２４・・・操作パネル、２５・・・ホストインターフェイス、２６・・・エンジンインターフェイス。
【図１】
2007126293.tif 000003
【図２】
2007126293.tif 000004
【図３】
2007126293.tif 000005
【図４】
2007126293.tif 000006
【図５】
2007126293.tif 000007
【図６】
2007126293.tif 000008
【図７】
2007126293.tif 000009
【図８】
2007126293.tif 000010